(57)【要約】【課題】レンズ周りの光反射性を高めることができるとともに、輝度の均一化を図ることができる光源装置及び表示装置を提供する。【解決手段】一面に発光ダイオード１が実装されている発光ダイオード基板２と、前記一面に取付けられ、前記発光ダイオード１が発射した光を拡散させるレンズ４と、該レンズ４がその内部に配される貫通孔５１，６１を有し、前記一面に対向して前記光を反射させる反射シート５，６とを備え、該反射シート５，６の貫通孔５１，６１は、大孔部５１ａ，６１ａ及び該大孔部５１ａ，６１ａに連なる小孔部５１ｂ，６１ｂを有し、発光ダイオード基板２に沿って相対移動を可能に２枚を積層した。【選択図】図８
2011028991.tif 000002
【特許請求の範囲】
【請求項１】
一面に発光ダイオードが実装されている回路基板と、前記一面に取付けられ、前記発光ダイオードが発射した光を拡散させるレンズと、該レンズがその内部に配される貫通孔を有し、前記一面に対向して前記光を反射させる反射シートとを備える光源装置において、前記反射シートは、前記回路基板に沿って相対移動を可能に複数枚が積層されていることを特徴とする光源装置。
【請求項２】
少なくとも１枚の前記反射シートの前記貫通孔は、大孔部及び該大孔部に連なる小孔部を有する請求項１記載の光源装置。
【請求項３】
前記レンズは、前記回路基板へ向く位置決め突起を有し、少なくとも１枚の前記反射シートの前記貫通孔は、半円孔部及び該半円孔部に連なり、その孔縁が前記位置決め突起の周面と対向する非円孔部を有する請求項１記載の光源装置。
【請求項４】
前記反射シートの夫々は略四角形をなし、１枚の反射シートは、隣合う二つの辺に連なり、略Ｌ字形をなす第１枠片を有し、他の１枚の反射シートは、前記二つの辺に対向する二つの辺に連なり、前記第１枠片と対向して四角の枠部を形成するための第２枠片を有する請求項１から３のいずれか一つに記載の光源装置。
【請求項５】
前記反射シートの夫々は略四角形をなし、１枚の反射シートは、三つの辺に連なり、略コ字形をなす第３枠片を有し、他の１枚の反射シートは、一つの辺に連なり、前記第３枠片と対向して四角の枠部を形成するための第４枠片を有する請求項１から３のいずれか一つに記載の光源装置。
【請求項６】
前記反射シートの周りに配され、前記光を反射させる反射枠体を備える請求項１から３のいずれか一つに記載の光源装置。
【請求項７】
一側に表示面を有する表示部と、該表示部の他側に前記発光ダイオードが前記一側へ向くように配された請求項１から６のいずれか一つに記載の光源装置とを備えることを特徴とする表示装置。
【発明の詳細な説明】
【技術分野】
【０００１】
本発明は発光ダイオードが実装されている回路基板を備える光源装置及びこの光源装置を備える表示装置に関する。
【背景技術】
【０００２】
テレビジョン等の表示装置は、画像を表示する表示面を前側に有する表示部の後側に光源装置が配されている。
【０００３】
光源装置は、例えば発光ダイオードを収容し、該発光ダイオードが出射した光を拡散させる半球形の樹脂ホルダと、該樹脂ホルダの複数が並置される配線基板と、該配線基板を収容支持する溝を有し、離隔して配置される複数のアレイベースと、該アレイベースを収容して支持するケース体と、各樹脂ホルダが挿通される貫通孔を有し、前記アレイベース上に載置される反射シートとを備える（例えば、特許文献１参照。）。
【０００４】
前記樹脂ホルダは半球形をなし、反射シートの貫通孔は前記樹脂ホルダよりも大径であり、樹脂ホルダの周面及び貫通孔の間に、樹脂ホルダが貫通孔に嵌まり易くするための比較的大きい環状の隙間が設けられており、この隙間から配線基板の表面が露出する。配線基板の表面は光反射性が低いため、配線基板の表面に白色ソルダーレジストが塗布され、前記隙間での光反射性を高めてある。
【先行技術文献】
【特許文献】
【０００５】
【特許文献１】特開２００８−１４７１４７号公報
【発明の概要】
【発明が解決しようとする課題】
【０００６】
しかし、特許文献１のように配線基板の表面に塗布される白色ソルダーレジストの光反射性は、反射シートの光反射性よりも劣るため、樹脂ホルダ周りの輝度が、反射シートにて反射する部分の輝度よりも悪くなり、輝度の均一化が図り難いという問題がある。
【０００７】
本発明は斯かる事情に鑑みてなされたものであり、主たる目的はレンズ周りの光反射性を高めることができ、輝度の均一化を図ることができる光源装置及び表示装置を提供することにある。
【課題を解決するための手段】
【０００８】
本発明に係る光源装置は、一面に発光ダイオードが実装されている回路基板と、前記一面に取付けられ、前記発光ダイオードが発射した光を拡散させるレンズと、該レンズがその内部に配される貫通孔を有し、前記一面に対向して前記光を反射させる反射シートとを備える光源装置において、前記反射シートは、前記回路基板に沿って相対移動を可能に複数枚が積層されていることを特徴とする。
【０００９】
この発明にあっては、レンズに対応する貫通孔にて反射シートを容易に積層配置することができ、この反射シートを回路基板に沿って相対移動させることにより、レンズ周面と貫通孔との間の隙間量を、反射シートの貫通孔周縁部にて低減することができ、レンズ周りの光反射性を高めることができ、輝度の均一化を図ることができる。
【００１０】
また、本発明に係る光源装置は、少なくとも１枚の前記反射シートの前記貫通孔は、大孔部及び該大孔部に連なる小孔部を有する構成とするのが好ましい。
この発明にあっては、貫通孔の大孔部にレンズが嵌まる状態にして反射シートを積層配置した後、反射シートを回路基板に沿って相対移動させることにより、レンズ周面と貫通孔との間の隙間量を反射シートの小孔部にて低減することができ、レンズ周りの光反射性をより一層高めることができ、輝度の均一化をより一層図ることができる。
【００１１】
また、本発明に係る光源装置は、前記レンズは、前記回路基板へ向く位置決め突起を有し、少なくとも１枚の前記反射シートの前記貫通孔は、半円孔部及び該半円孔部に連なり、その孔縁が前記位置決め突起の周面と対向する非円孔部を有する構成とするのが好ましい。
この発明にあっては、位置決め突起にてレンズの透光部を回路基板から離隔させることができるため、貫通孔の半円孔部に透光部が嵌まる状態にして反射シートを積層配置した後、反射シートを回路基板に沿って相対移動させることにより、非円孔部を前記透光部及び回路基板の間の空間に嵌め込むことができ、レンズ周面と貫通孔との間の隙間の一部を反射シートの非円孔部にてなくすることができ、レンズ周りの光反射性をより一層高めることができ、輝度の均一化をより一層図ることができる。
【００１２】
また、本発明に係る光源装置は、前記反射シートの夫々は略四角形をなし、１枚の反射シートは、隣合う二つの辺に連なり、略Ｌ字形をなす第１枠片を有し、他の１枚の反射シートは、前記二つの辺に対応する二つの辺に連なり、前記第１枠片と対向して四角の枠部を形成するための第２枠片を有する構成とするのが好ましい。
この発明にあっては、略四角形をなす反射シート同士を積層することにより、第１枠片及び第２枠片により四角の枠部を形成することができるため、反射シートによる光反射性を枠部にてより一層高めることができるとともに、枠部に影響されることなく反射シートを相対移動させることができる。
【００１３】
また、本発明に係る光源装置は、前記反射シートの夫々は略四角形をなし、１枚の反射シートは、三つの辺に連なり、略コ字形をなす第３枠片を有し、他の１枚の反射シートは、一つの辺に連なり、前記第３枠片と対向して四角の枠部を形成するための第４枠片を有する構成とするのが好ましい。
この発明にあっては、略四角形をなす反射シート同士を積層することにより、第３枠片及び第４枠片により四角の枠部を形成することができるため、反射シートによる光反射性を枠部にてより一層高めることができるとともに、枠部に影響されることなく反射シートを相対移動させることができる。
【００１４】
また、本発明に係る光源装置は、前記反射シートの周りに配され、前記光を反射させる反射枠体を備える構成とするのが好ましい。
この発明にあっては、積層された反射シートの周りに反射枠体が配されるため、反射シートによる光反射性を反射枠体にてより一層高めることができるとともに、反射枠体の保形性を高めることができ、また、反射枠体に影響されることなく反射シートを相対移動させることができる。
【００１５】
また、本発明に係る表示装置は、一側に表示面を有する表示部と、該表示部の他側に前記発光ダイオードが前記一側へ向くように配された前述の光源装置とを備えることを特徴とする。
この発明にあっては、反射シートが回路基板に沿って相対移動を可能に積層されているため、回路基板の一面に取付けられているレンズに影響されることなく反射シートを配置することができるとともに、レンズ周りの隙間量を反射シートにて低減することができ、レンズ周りの光反射性を高めることができ、輝度の均一化を図ることができる。
【発明の効果】
【００１６】
本発明によれば、レンズに対応する貫通孔にて反射シートを容易に積層配置することができ、この反射シートを回路基板に沿って相対移動させることにより、レンズ周面と貫通孔との間の隙間量を、反射シートの貫通孔周縁部にて低減することができ、レンズ周りの光反射性を高めることができ、輝度の均一化を図ることができる。
【図面の簡単な説明】
【００１７】
【図１】本発明に係る光源装置を備える表示装置の構成を示す一部を拡大した断面図である。
【図２】本発明に係る光源装置の要部の構成を示す分解斜視図である。
【図３】レンズが取付けられている発光ダイオード基板の構成を示す斜視図である。
【図４】レンズが取付けられている発光ダイオード基板の構成を示す平面図である。
【図５】本発明に係る光源装置が備える反射シートの構成を示す模式的平面図である。
【図６】本発明に係る光源装置が備える反射シートの構成を示す分解した模式的平面図である。
【図７】本発明に係る光源装置が備える反射シートの構成を示す一部を拡大した平面図である。
【図８】(a) は１枚の反射シートとレンズとの関係を示す平面図、(b) は２枚の反射シートとレンズとの関係を示す平面図である。
【図９】本発明に係る光源装置の要部の他の構成を示す拡大した平面図である。
【図１０】本発明に係る光源装置の要部の他の構成を示す拡大した平面図である。
【図１１】本発明に係る光源装置の要部の他の構成を示す拡大した平面図である。
【図１２】本発明に係る光源装置が備える反射シートの他の構成を示す分解した模式的平面図である。
【図１３】本発明に係る光源装置の要部の他の構成を示す分解した模式的平面図である。
【発明を実施するための形態】
【００１８】
以下本発明をその実施の形態を示す図面に基づいて詳述する。
実施の形態１
図１は光源装置を備える表示装置の構成を示す一部を拡大した断面図、図２は要部の構成を示す分解斜視図、図３はレンズが取付けられている発光ダイオード基板の構成を示す斜視図、図４はレンズが取付けられている発光ダイオード基板の構成を示す平面図である。
【００１９】
図示した光源装置Ａは、前側に表示面を有し、略直方体をなす表示部１０を備える薄型の表示装置における前記表示部１０の後側に装着されるもので、碁盤目のように並置される光源としての複数の発光ダイオード１と、該発光ダイオード１を一面２ａに実装してあり、複数列に並置される複数の発光ダイオード基板２と、隣合う発光ダイオード基板２，２同士を接続してある複数のコネクタ３と、発光ダイオード基板２の一面２ａに取付けられて発光ダイオード１の頂部と対向し、該発光ダイオード１が発光した光を拡散させる複数のレンズ４と、該レンズ４がその内部に配される貫通孔５１，６１を有し、前記一面２ａ及びコネクタ３の一面に対向してレンズ４が拡散した光を反射させる第１及び第２の反射シート５，６と、発光ダイオード基板２を複数列に並べて収容支持する支持ケース７とを備える。
【００２０】
発光ダイオード基板２は図３、図４に示すように一面２ａに回路部を有する短冊状をなし、略矩形をなす支持ケース７の一面７ａに長さ方向及び幅方向に離隔して複数列に並置されている（図２参照）。発光ダイオード基板２夫々の一面２ａには図３、図４に示すように複数の発光ダイオード１を長さ方向に離隔して実装してあり、一面２ａの長さ方向両端部には接続部２１，２２が設けられている。
【００２１】
長さ方向一端が対向するように複数列に並置された発光ダイオード基板２において、各列の発光ダイオード基板２は、隣合う二つの接続部２１，２１同士がコネクタ３にて接続され、一方の発光ダイオード基板２の接続部２２が、支持ケース７の後面に装着される電源回路基板に第２コネクタにて接続され、他方の発光ダイオード基板２の接続部２２が、支持ケース７の後面に装着される制御回路基板に第３コネクタにて接続されている。
【００２２】
発光ダイオード１は図２に示すように発光ダイオード基板２の長さ方向に離隔して例えば５個、又は６個実装されており、発光ダイオード１夫々に対応して５個、又は６個のレンズ４が接着剤にて一面２ａに取付けられている。
【００２３】
レンズ４は、発光ダイオード１の頂部と離隔して対向し、該発光ダイオード１が発光した光を四方に拡散させるための半球状凹部を有する透光部４１と、該透光部４１の一面２ａと対向する面から発光ダイオード基板２へ向けて突出し、前記透光部４１の発光ダイオード基板２に対する位置を決める三つの位置決め突起４２とを有し、該位置決め突起４２の先端が一面２ａに接着剤にて取付けられている。前記位置決め突起４２は、前記透光部４１と発光ダイオード基板２との間の距離を、反射シート５，６の厚さよりも若干長くし、反射シート５，６の発光ダイオード基板２に沿う方向への相対移動を可能にしてある。
【００２４】
支持ケース７は金属板を成形してなり、略矩形をなす扁平状の板部７１及び該板部７１の周縁に連なり、前側が開放されている枠部７２を有し、板部７１の一面７ａに発光ダイオード基板２を長さ方向及び幅方向に並べて収容支持してある。枠部７２は、板部７１の四辺に連なる枠片を折曲げることにより形成されている。
【００２５】
板部７１における後面には、前記表示部１０の表示面に表示する映像信号を処理する信号処理回路基板、信号処理回路基板及び発光ダイオード基板２等に実装されている部品に電圧を供給する電源回路基板、前記表示部１０の駆動及び制御を行う制御回路基板、発光ダイオード基板２のドライバを制御する制御回路基板等の複数の回路基板が装着されている。
【００２６】
図５は反射シートの構成を示す模式的平面図、図６は反射シートの構成を示す分解した模式的平面図、図７は反射シートの構成を示す一部を拡大した平面図、図８の(a) は１枚の反射シートとレンズとの関係を示す平面図、(b) は２枚の反射シートとレンズとの関係を示す平面図である。
【００２７】
第１及び第２の反射シート５，６は、高反射性を有し、矩形をなす合成樹脂シート素材からなり、支持ケース７の板部７１よりも小形の矩形をなす扁平部５２，６２と、該扁平部５２，６２の２辺に被折目にて折曲げを可能に連なる第１枠片５３，第２枠片６３とを有し、扁平部５２，６２には、レンズ４夫々に対応する貫通孔５１，６１と、コネクタ３に対応する第２貫通孔５４，６４とが設けられている。尚、第１枠片５３，第２枠片６３は、扁平部５２，６２の１辺と隣合う第３辺の端部にも設けられている。また、第１枠片５３，第２枠片６３の周縁には鍔部５５，６５が設けられている。
【００２８】
貫通孔５１，６１は透光部４１よりも若干大径の大孔部５１ａ，６１ａ及び該大孔部５１ａ，６１ａの一側縁から外方へ窪み、透光部４１よりも若干小径の小孔部５１ｂ，６１ｂを有する。第２貫通孔５４，６４は、略矩形をなし、コネクタ３が挿通されている。
【００２９】
以上のように構成された光源装置Ａは、一面２ａに複数の発光ダイオード１が実装され、該発光ダイオード１夫々の頂部と対向するレンズ４が取付けられている発光ダイオード基板２が支持ケース７における板部７１の一面７ａに複数列に並置され、止具等の移動止め手段にて板部７１に取付けられた後、該発光ダイオード基板２の一面２ａに第１の反射シート５が対向載置され（図８(a) 参照）、該第１の反射シート５上に第２の反射シート６が対向載置される（図８(b) 参照）。
【００３０】
第１の反射シート５が載置される際、レンズ４における透光部４１が反射シート５の各貫通孔５１の大孔部５１ａに嵌まり、扁平部５２が発光ダイオード基板２の一面２ａに載置される。この状態から第１の反射シート５を発光ダイオード基板２に沿って一方向へ移動させることにより、透光部４１及び一面２ａ間の空間に各貫通孔５１の小孔部５１ｂが嵌まる。
【００３１】
第２の反射シート６が載置される際、レンズ４における透光部４１が反射シート６の各貫通孔６１の大孔部６１ａに嵌まり、扁平部６２が発光ダイオード基板２の一面２ａに載置される。この状態から第２の反射シート６を発光ダイオード基板２に沿って他方向へ移動させることにより、透光部４１及び一面２ａ間の空間に各貫通孔６１の小孔部６１ｂが嵌まる。
【００３２】
このようにレンズ４の透光部４１及び一面２ａ間の空間に各貫通孔５１，６１の小孔部５１ｂ，６１ｂが嵌まることにより、透光部４１周面と貫通孔５１，６１の大孔部５１ａ，６１ａとの間の隙間は反射シート５，６の貫通孔５１，６１周りにて低減でき、レンズ４周りの光反射性を高めることができる。
【００３３】
また、第１及び第２の反射シート５，６が積層配置されることにより、反射シート５，６は、前側が開放されたケース形状となるため、扁平部５２，６２が発光ダイオード基板２の一面２ａ及び支持ケース７の板部７１と対向し、第１枠片５３，第２枠片６３が支持ケース７の枠部７２と対向し、支持ケース７内の全面が反射面となる。
【００３４】
光源装置Ａを備える表示装置は、図１に示すようにテレビ画像を表示する表示面を前側に有する表示部１０と、該表示部１０の後側に配されている光源装置Ａと、表示部１０の周縁部及び光源装置Ａの後側を隠蔽するキャビネット１１とを備える。
【００３５】
表示部１０は、表示面を有する表示パネル１２と、該表示パネル１２の後側に配されている光学シート１３とを有する。表示パネル１２の周縁部は、前保持枠体１４と、後保持枠体１５とにより前後に挾着保持され、パネルモジュールを構成しており、後保持枠体１５が支持ケース７の周縁部に取付けられている。
【００３６】
光学シート１３は、光源としての発光ダイオード１が発光した光を拡散する比較的厚肉の拡散板と、反射偏光板、プリズムシート、拡散シート等の比較的薄肉の合成樹脂シートが積層された積層体であり、枠部７２に前記拡散板の周縁部を支持してある。
【００３７】
キャビネット１１は、表示部１０の周縁部前側を隠蔽するキャビネット前分体１１ａと、光源装置Ａの周縁部及び後側を隠蔽する深皿形状のキャビネット後分体１１ｂとを有し、支持ケース７の枠部７２に雄螺子により取付けられている。
【００３８】
実施の形態２
図９は光源装置の要部の他の構成を示す拡大した平面図である。この光源装置は、反射シート５，６における貫通孔５１，６１を、大孔部５１ａ，６１ａの一側縁から若干窪む小孔部５１ｂ，６１ｂを有する形状とする代わりに、半円形をなす大孔部５１ａ，６１ａ及び該大孔部５１ａ，６１ａの一側縁に連なり、半円形をなす小孔部５１ｃ，６１ｃを有する貫通孔５１，６１としたものである。
【００３９】
大孔部５１ａ，６１ａは透光部４１よりも大径であり、小孔部５１ｃ，６１ｃは透光部４１と同径又は透光部４１よりも小径であり、透光部４１が各貫通孔５１，６１の大孔部５１ａ，６１ａに嵌まっている状態から反射シート５，６が相対移動したとき、透光部４１及び一面２ａ間の空間に各貫通孔５１，６１の小孔部５１ｃ，６１ｃが嵌まるように構成されている。
その他の構成及び作用は実施の形態１と同様であるため、同様の部品については同じ符号を付し、その詳細な説明及び作用効果の説明を省略する。
【００４０】
実施の形態３
図１０、図１１は光源装置の要部の他の構成を示す拡大した平面図である。この光源装置は、反射シート５，６における貫通孔５１，６１を、透光部４１よりも大径の半円孔部５１ｄ，６１ｄ及び該半円孔部５１ｄ，６１ｄに連なり、その孔縁が位置決め突起４２の周面と対向する非円孔部５１ｅ，６１ｅを有する形状としたものである。
【００４１】
非円孔部５１ｅ，６１ｅは、位置決め突起４２の個数及び周方向位置に対応して非円形に形成され、非円孔部５１ｅ，６１ｅを、透光部４１及び一面２ａ間の空間にて透光部４１の周面よりも中心側に寄せることができるように構成されている。図１０は位置決め突起４２が３個である場合を示しており、図１１は位置決め突起４２が２個である場合を示している。
その他の構成及び作用は実施の形態１と同様であるため、同様の部品については同じ符号を付し、その詳細な説明及び作用効果の説明を省略する。
【００４２】
実施の形態４
図１２は光源装置が備える反射シートの他の構成を示す分解した模式的平面図である。この反射シート５，６は、矩形をなす扁平部５２，６２と、該扁平部５２，６２の２辺に連なる第１枠片５３，第２枠片６３とを有する構成とする代わりに、板部７１よりも小形の矩形をなす扁平部５２，６２と、扁平部５２の３辺に被折目にて折曲げを可能に連なり、略コ字形をなす第３枠片５６と、扁平部６２の１辺に被折目にて折曲げを可能に連なり、第３枠片５６と対向して四角の枠部を形成するための第４枠片６６とを有する構成としたものである。
【００４３】
扁平部５２，６２には、レンズ４夫々に対応する貫通孔５１，６１と、コネクタ３に対応する第２貫通孔５４，６４とが設けられている。また、第４枠片６６は、扁平部６２の１辺と隣合う二つの辺の端部にも設けられている。また、第３枠片５６，第４枠片６６の周縁には鍔部５５，６５が設けられている。
【００４４】
この場合にあっても反射シート５，６が積層配置されることにより、第３枠片５６，第４枠片６６にて四角の枠部が形成され、また、レンズ４周面と貫通孔５１，６１との間の隙間量を低減できる。
その他の構成及び作用は実施の形態１と同様であるため、同様の部品については同じ符号を付し、その詳細な説明及び作用効果の説明を省略する。
【００４５】
実施の形態５
図１３は光源装置の要部の他の構成を示す分解した模式的平面図である。この光源装置は、矩形をなす扁平部５２，６２の辺に枠片を設けてある反射シート５，６を備える構成とする代わりに、枠片がなく、矩形をなす扁平部５２，６２からなる反射シート５，６と、台形状の四角筒形をなし、反射シート５，６の周りに配される反射枠体８とを備える構成としたものである。
【００４６】
反射シート５，６には、レンズ４夫々に対応する貫通孔５１，６１と、コネクタ３に対応する第２貫通孔５４，６４とが設けられている。
【００４７】
反射枠体８は、高反射性を有する合成樹脂シートが台形状の四角筒形に成形されるか、又は、帯状をなす合成樹脂シートの三個所が直交状に折曲げられ、両端が両面テープ等の結合手段にて結合される。また、反射枠体８の周縁には鍔部８１が設けられている。
【００４８】
この場合にあっても積層された反射シート５，６の周りに反射枠体８が配されるため、反射シート５，６による光反射性を反射枠体８にてより一層高めることができ、また、レンズ４周面と貫通孔５１，６１との間の隙間量を低減できる。
その他の構成及び作用は実施の形態１と同様であるため、同様の部品については同じ符号を付し、その詳細な説明及び作用効果の説明を省略する。
【００４９】
尚、以上説明した実施の形態では、２枚の反射シート５，６を相対移動を可能に積層したが、その他、１枚の反射シート５を非移動に配し、他の１枚の反射シート６を移動可能に積層配置する構成としてもよい。この場合にあってもレンズ４周面と貫通孔５１，６１との間の隙間量を低減できる。
【００５０】
また、以上説明した実施の形態では、反射シート５，６を長さ方向へ相対移動を可能に配したが、その他、反射シート５，６は幅方向への相対移動を可能に配してもよい。
【００５１】
また、以上説明した実施の形態では、反射シート５，６が第１枠片５３，第２枠片６３、又は、第３枠片５６，第４枠片６６を有する構成とするか、又は、扁平部５２，６２からなる反射シート５，６とは別個に反射枠体８を備える構成としたが、その他、反射枠体８等の枠部がない構成としてもよい。
【符号の説明】
【００５２】
１    発光ダイオード
２    発光ダイオード基板（回路基板）
４    レンズ
４２  位置決め突起
５，６  反射シート
５１，６１  貫通孔
５１ａ，６１ａ  大孔部
５１ｂ，６１ｂ  小孔部
５１ｄ，６１ｄ  半円孔部
５１ｅ，６１ｅ  非円孔部
５３  第１枠片
６３  第２枠片
５６  第３枠片
６６  第４枠片
８    反射枠体
１０  表示部
Ａ    光源装置
【図１】
2011028991.tif 000003
【図２】
2011028991.tif 000004
【図３】
2011028991.tif 000005
【図４】
2011028991.tif 000006
【図５】
2011028991.tif 000007
【図６】
2011028991.tif 000008
【図７】
2011028991.tif 000009
【図８】
2011028991.tif 000010
【図９】
2011028991.tif 000011
【図１０】
2011028991.tif 000012
【図１１】
2011028991.tif 000013
【図１２】
2011028991.tif 000014
【図１３】
2011028991.tif 000015